Podtech/llm-jp-corpus-v4-ja_patent huggingface dataset:
(57)【要約】      （修正有）【課題】従来の作業用防塵マスクでは、マスク着用時、作業中、会話をするのに、マスク越しでは、話しがしにくく（聞き取りにくく）会話をハッキリと交わすには、着用しているマスクをずらしたり、外したりし、又、掛け直したりして、会話を交わすには、手間が掛かり不自由で有った。会話をスムーズに交わすにはどうしたらよいか。【解決手段】会話を交わす為にマスクを外したり、ずらしたりしないですむ様に、マスク着用時に、口元に当る、マスク部分に会話用の開閉部を設け、その開閉部分の開け閉めだけで、会話が出来る様にする。【選択図】図２
2004174189.tif 000002
【特許請求の範囲】
【請求項１】
作業用防塵マスクのマスク着用時の会話用で、マスク着用時、口元に当るマスク部分を、話す為に開け閉めする事を特徴とする、作業用防塵マスク用の会話用開閉口。
【発明の詳細な説明】
【０００１】
【発明の属する技術分野】
作業用の防塵マスク用で、マスク着用時の会話用で、マスク着用時、口元に当るマスク部分に、開け閉めで、会話出来る様に会話用、開閉口を設けた作業用防塵マスク用の会話用開閉口。
【０００２】
【従来の技術】
従来の作業用防塵マスクには、防塵フイルターのセット用防塵弁は有るが会話用に使用する開閉口はない。
【０００３】
【発明が解決しようとする課題】
従来の作業用防塵マスクではマスク着用時、作業中、会話を交わすのに、マスク越では話しがしにくく（聞き取りにくく）会話をハッキリと交わすには、着用している、マスクをずらしたり、外したりし、又掛け直したりして会話を交わすのに手間が掛かり不自由で有った。会話をスムーズに交わすにはどうしたらよいか。
【０００４】
【課題を解決するための手段】
会話を交わす為にマスクを外したり、ずらしたりしないですむ様に、マスク着用時に、口元に当るマスク部分に会話用の開閉部を設け、その開閉部分の開け閉めだけで会話出来る様にする。
【０００５】
【発明の実施の形態】
本考案の内容の実施形態は図面に基づき説明する。
図１は、本考案の内容の、作業用防塵マスク例の、側面図である。
図２は、本考案の内容の会話用開閉部開き時と防塵フイルター部脱図とマスク例本体側面図。
６と４で５を狭み固定し、６、５、４でセットとして防塵フイルター部とする。６、５、４の防塵フイルター部セットを会話用開閉部、開閉側とし、３をマスク、本体側の会話用開閉部土台とし、９で一定に繋いでおく。
７、と８、を持って会話用開閉部掛け止め部とする。
【０００６】
【発明の効果】
従来では、作業用防塵マスクの着用時に会話をハッキリと交わすには、マスクをずらしたり、外したり、掛け直したりして、手間が掛かったが、本考案の内容により、会話を交わしたい時には会話用開閉部を開け閉めするだけで作業中の会話が手間なく、スムーズに交わす事が出来る様に成る。
【図面の簡単な説明】
【図１】本考案内案のマスク例本体側面図。
【図２】本考案内容の会話用開閉部、開き時と、防塵フイルター部、脱図とマスク例本体側面図。
【符号の説明】
１  マスク本体
２  マスク、バンド部
３  マスク本体側会話用開閉土台
４  防塵フイルター装着受部兼、会話用開閉部開閉側
５  防塵用フイルター
６  酸素吸入部兼、防塵フイルター装着押え部
７  会話用開閉部、開閉側、掛け止め部
８  会話用開閉部、マスク本体側掛け止め部
９  ちょうつがい（蝶番）
【図１】
2004174189.tif 000003
【図２】
2004174189.tif 000004
【手続補正書】
【提出日】平成15年2月17日(2003.2.17)
【手続補正１】
【補正対象書類名】明細書
【補正対象項目名】全文
【補正方法】変更
【補正の内容】
【特許請求の範囲】
【請求項１】作業用防塵マスクのマスク着用時の会話用で、マスク着用時、口元に当るマスク部分を、話す為に開け閉めする事を特徴とする、作業用防塵マスク用の会話用開閉口。
【発明の詳細な説明】
【０００１】
【発明の属する技術分野】
作業用の防塵マスク用で、マスク着用時の会話用で、マスク着用時、口元に当るマスク部分に、開け閉めで、会話出来る様に会話用、開閉口を設けた作業用防塵マスク用の会話用開閉口。
【０００２】
【従来の技術】
従来の作業用防塵マスクには、防塵フィルターのセット用防塵弁は有るが会話用に使用する開閉口はない。
【０００３】
【発明が解決しようとする課題】
従来の作業用防塵マスクではマスク着用時、作業中、会話を交わすのに、マスク越では話しがしにくく（聞き取りにくく）会話をハッキリと交わすには、着用している、マスクをずらしたり、外したりし、又掛け直したりして（備考、汚れた作業用手袋を着用したままで、マスクや顔を汚したり又作業用手袋をはずしたりし、）会話を交わすのに手間が掛かり不自由で有った。会話をスムーズに交わすにはどうしたらよいか。
【０００４】
【課題を解決するための手段】
会話を交わす為にをマスクを外したり、ずらしたりしないですむ様に、マスク着用時に、口元に当るマスク部分に会話用の開閉部を設け、（備考、作業用手袋着用のままでも）その開閉部分の開け閉めだけで会話出来る様にする。
【０００５】
【発明の実施の形態】
本考案の内容の実施形態は図面に基づき説明する。
図１は、本考案の内容の、作業用防塵マスク例の、側面図である。
図２は、本考案の内容の会話用開閉部開き時と防塵フィルター部脱図とマスク例本体側面図。
６と４で５を狭み固定し、６、５、４でセットとして防塵フィルター部とする。６、５、４の防塵フィルター部セットを会話用開閉部、開閉側とし、３をマスク、本体側の会話用開閉部土台とし、９で一定に繋いでおく。
７、と８、を持って会話用開閉部掛け止め部とする。
【０００６】
【発明の効果】
従来では、作業用防塵マスクの着用時に会話をハッキリと交わすには、マスクをずらしたり、外したり、掛け直したりして、（備考、汚れた作業用手袋を着用したままで、マスクや顔を汚したり又、作業用手袋をはずしたりし、）手間が掛かったが、本考案の内容により、会話を交わしたい時には（備考、作業用手袋着用のままで）会話用開閉部を開け閉めするだけで作業中の会話が手間なく、スムーズに交わす事が出来る様に成る。
【図面の簡単な説明】
【図１】本考案内案のマスク例本体側面図。
【図２】本考案内容の会話用開閉部、開き時と、防塵フィルター部、脱図とマスク例本体側面図。
【符号の説明】
１  マスク本体
２  マスク、バンド部
３  マスク本体側会話用開閉土台
４  防塵フィルター装着受部兼、会話用開閉部開閉側
５  防塵用フィルター
６  酸素吸入部兼、防塵フィルター装着押え部
７  会話用開閉部、開閉側、掛け止め部
８  会話用開閉部、マスク本体側掛け止め部
９  ちょうつがい（蝶番）
(57)【要約】      （修正有）【課題】心を休め静かに瞑想し思案する機会を持って真に自分と向き合う時間と場所を確保し少しづつ日常生活のサイクルに取り入れ習慣づけ自己の精神状態を把握し正しい姿勢で健全な精神を養うための正座思案台を提供する。【解決手段】板１の上に畳２を敷いてその上に正座し背骨に添って垂直な支柱４を固定させてそれが上下に動かして高さを調整し又、顔の前を布９で覆い気持ちが散漫にならない様に瞑想し思案する。【選択図】図１
2004174183.tif 000002
【特許請求の範囲】
【請求項１】
板の上に畳を敷いた台に正座し背骨に沿って垂直の支柱を立てて固定させその中心に差し込んだ角棒が上下に動かして高さを調整し背骨に当たる部に波形の板を取り付けた正しい姿勢で正座する正座思案台。
【発明の詳細な説明】
【０００１】
［発明の属する技術分野］
本発明は正しい姿勢で正座して心を休め静かに瞑想及び思案し自己の精神を管理し心身の鍛錬に関する。
【０００２】
［従来の技術］
従来正座は日本の文化として神事や仏事並びに華道茶道及び武道その他伝統に励む人々によって厳粛に継承されて来ましたがしかし一般家庭においても従来は日常習慣として定着していましたが時代の変化に伴い正座する機会が失われつつある。
【０００３】
［発明が解決しようとする課題］
従来人の話を聞く時や親の意見は正座してまた食事の時は必ず姿勢を正していましたが時代が変わりその多くは畳からフローリングになって日常生活も正座する場を失い、知らず知らずに姿勢が崩れ少しずつ影響を受け心や体に障害が現れ不調を訴える人々が増加している。したがって本発明の正座台を使用し静かに瞑想し思案する事により自己の精神と忍耐を養い心身を鍛錬することである。
【０００４】
［発明を解決するための手段］
上記目的を達成するため真に自分と向き合う時間と場所を持つことが大切で正座する特定の台で毎日少しずつ日常生活のサイクルに組み入れ習慣づけて自己の意思で自分の精神を管理し心身を改善することを目的とします。
【０００５】
［発明の実施の形態］
図１において板１の上に畳２を敷き固定板３の中心に垂直の支柱４を立てて固定させその支柱４の中に上下に動く角棒５を入れて座高の高さに設定し調整ネジ６で止める。そして角棒５の先端に頭の天辺を見極めるため横板７を取り付けその中に前後に動く木枠８を差し込んで顔の位置を定め木枠８に取り付けた布９は顔の前方及び左右を見えないようにして雑念を払い気が散漫にならないようにした。又、支柱４の中心に常に正しい姿勢を保つ目的として背骨に当たる部分に波型の板１０を取り付けた正座思案台。
【０００６】
［発明の効果］
本発明は正座によって正しい姿勢に健全な精神が宿ると言われる様に正しい姿勢は人間形成に重要な要素が含まれている。時には精神統一により日常の不安やストレスも解消され心に安らぎを得られ又身体の中でも１番大切な背骨が崩れれば内臓や神経が機能障害となり病気の原因となるので正座は精神的、肉体的に多くの効果があり又学校や家庭に取り入れることにより子供たちの生活態度と躾に大変効果的である。
【図面の簡単な説明】
【図１】正座思案台の斜視図である。
【図２】上から見た全体図である。
【図３】断面図である。
【符号の説明】
１    板
２    畳
３    支柱を立てる固定版
４    支柱
５    上下に動く角棒
６    調整ネジ
７    横板
８    木枠
９    布
１０  波型の板
【図１】
2004174183.tif 000003
【図２】
2004174183.tif 000004
【図３】
2004174183.tif 000005
(57)【要約】      （修正有）【課題】氷盤及び圧雪道路での転倒事故防止のための歩行保護具を提供する。【解決手法】使用する靴底に当たる部分は、厚さ８ｍｍ程度で巾５０ｍｍぐらいとしてその部分に座金付きスパイクを固定する。両面ファスナーで固定するようにはしているが、なお前後に動くようだとかかとから本体に補助バンドを廻すようにした。更に、本体の装着をより簡単にするために、両面ファスナーで結束部分を固定するようにした。【選択図】図１
2004174187.tif 000002
【特許請求の範囲】
【請求項１】
滑り止めバンド。
【発明の詳細な説明】
【０００１】
【発明の属する技術分野】
必要なときに簡単に脱着出来て、しかも小物で持参に便利である。
【０００２】
【従来の技術】
従来は、履物に装着されていて脱着不可能なものはかなり見受ける。
【０００３】
【発明が解決しようとする課題】
これは、氷盤及び圧雪道路での転倒事故防止。
【０００４】
【課題を解決するための手段】
必要なときだけ脱着が容易で、ゴム製だから水分の除去も簡単だし小物のため持ち歩きに不便さがない。
【０００５】
【本発明の実施の形態】
接地面に交換可能な座金付きのスパイクを三本で止め、靴の上部でマジックテープを使用し適宜に締める。
接地面が満足できないときは本体用具からかかとに一本ゴムベルトを廻し固定することにより前後の移動を解決する。
【０００６】
【発明の効果】
寒冷地及び降雪地の転倒防止になることと考えられる。
【図面の簡単な説明】
【図  １】本発明をゴム長靴に装着したところの図である。
【図  ２】本発明の本体見取り鳥瞰図出ある。
【図１】
2004174187.tif 000003
【図２】
2004174187.tif 000004
(57)【要約】【課題】  事務机上に敷いているデスクマット下の下敷きはすベりやすく、机上よりはみ出し、しわ、汚れ、ほつれなど見た目も悪く、又、挟んでいる書類、メモ等がズレたりするため、ひんぱんに手直ししなければならない、この問題を解消するために机上に、デスクマット、下敷きを固定する固定具を提供する。【解決手段】  事務机面に敷いているデスクマット９下敷き８に机上側面７より本体１をデスクマット９下敷き８を上下より挟むように押し込むと、机上にデスクマット及び下敷きを挟んで固定、机を使いやすいようにする。【選択図】    図２
2004174270.tif 000002
【特許請求の範囲】
【請求項１】
事務机などの机上部分に敷かれているデスクマット、及び下敷きを固定させるため机上側面より差し込むことで、上下より挟むことのできるプラスチックなどで製作され、コの字型をした片側に突起を備えるデスクマット固定具。
【発明の詳細な説明】
【発明の詳細な説明】
【発明に属する技術分野】
【０００１】本発明は、事務机の側面より表面と裏面との間に水平に差し込み机のデスクマット、下敷きを机上に固定するものである。
【背景技術】
【０００２】従来は、机上のデスクマット、下敷きを固定する固定具はなかった。
【発明が解決しようとする課題】
【０００３】事務机上に敷いているデスクマット下面の下敷きは、滑りやすく清掃などの際小さな力を加えるだけで移動するため、デスクマットと下敷きの間に整理整頓して挟んでいる書類、メモなどが乱雑になり常時手直しをしなければならない、また下敷きがデスクマットよりはみ出た状態で放置していることによる、汚れ、しわ、四隅の破れなどの欠点があった。本発明は、この課題を解消するためになされたものである。
【課題を解決するための手段】
【０００４】机上側面より、本体１を差し込むことによって、机上のデスクマット、下敷きを上下より挟むことによって固定し机を機能的に使用できるようにした。
【発明を実施するための最良の形態】
【０００５】以下、本発明の実施の形態について説明する。
（イ）本体１はプラスチックなどで製作され、コの字型をしている。
（ロ）本体１は上下構造となっており、固定時曲面２・６は、衣服などの引っかかり防止を目的としている。内側曲面３・４は使用時、机上側面の上下の角にピッタリ接着し、隙間の出来ない構造とした。
（ハ）内側下部に、突起６がついており固定時上部内面でデスクマット９を、おさえ、下部内側部分突起６が、机上側面裏側の折り返し部分に引っかかる構造。
（ニ）本体１全体で、デスクマットを固定する。
【発明の効果】
【０００６】本発明固定具にて、デスクマット、下敷きを固定し、動かなくなった。
下敷きのしわ、汚れ、四隅の破損などが解消された。又、挟んだ書類、メモどのゆがみが解消され、見た目がスッキリし、机を使いやすくなった。
【図面の簡単な説明】
【図１】  本発明の立面図である。
【図２】  本発明の使用状態を示す断面図である。
【符号の説明】
１    本体
２    カーブ
３    カーブ
４    カーブ
５    カーブ
６    突起
７    机上側面
８    下敷き
９    デスクマット
１０    机本体
【図１】
2004174270.tif 000003
【図２】
2004174270.tif 000004
(57)【要約】【課  題】つぼ押しは、従来室内で使用する事が多い。高価な物だと手が出ませんし、場所もとります。【解決手段】足の親指の外側から鼻のつぼを常に刺激できる。これは重度の花粉症の方には抜群の効果である。ストッキングは薄いので密着しやすく、その分刺激が大きい。【特許請求の範囲】
【請求項１】
▲１▼のストッキングに▲２▼の１０ｍｍのプラスチック（応入り）を糸で縫い合わせ、▲３▼の鼻のつぼを押す。
【発明の詳細な説明】
【０００１】ストッキングにプラスチック状の突起物を取り付け、常時足の外側から鼻のつぼを押すことができる。装着も履くだけである。
【発明の属する技術分野】
【０００２】つぼ押し  Ａ６１Ｈ３９１０４
【従来の技術】
【０００３】室内でやる事が多い。
【発明が解決しようとする課題】
【０００４】従来の技術では室内でやる事が多い。浪費がかかるし、時間がかかる事が多い。一つのつぼを常に押し続ける事も難易である。
【課題を解決するための手段】
【０００５】▲１▼のストッキングに▲２▼の１０ｍｍのプラスチック（応入り）を糸で縫い合わせ、▲３▼の鼻のつぼを押す。
【発明実施の形態】
【０００６】以下、本説明の実施の形態について説明する。
▲１▼のストッキングに対して、▲２▼の長丸プラスチック（１０ｍｍ）を２０本糸で縫い合わせ、▲３▼の鼻のつぼを押す。
【発明の効果】
【０００７】鼻のつぼを一定時間押し続けていく事ができる。花粉症の方は鼻水、かゆみ、くしゃみが極端に少なくなる。
【図面の簡単な説明】
【図１】本発明の平面図である。
【図２】▲１▼のプラスチック部分の詳細図である。
【符号の説明】
▲１▼  ストッキング
▲２▼  １０ｍｍの長丸（央入り）プラスチック
▲３▼  鼻のつぼ
▲４▼  ▲２▼と同じ
▲５▼  糸
【図１】
2004174213.tif 000002
【図２】
2004174213.tif 000003
(57)【要約】【課題】窓ガラスや車のボディー、船舶の船体、航空機の機体等、または台所などのテーブルなどにこびり着いた小さな汚れなど取りにくい汚れをふやかさなければ取れず雑巾で何度もこすったりしなければならず、又水が使える場所なら汚れのその場所へ水を垂れ流したりして予想以上にてこずることがあった。【解決手段】平らな面、少々のカーブした面なら吸盤を環状にすることにより汚れの周りに引っ付け、環状の吸盤の内側に水あるいは洗剤を溜めるといいと考えた。【選択図】    図１
2004174293.tif 000002
【特許請求の範囲】
【請求項１】
環状吸盤の環状に合わせて壁面を立ち上げ内側に水溜め部を設けた部分洗浄補助具。
【請求項２】
環状吸盤の環状に合わせて壁面を立ち上げ、縦様に水溜め部を設けた部分洗浄補助具
【発明の詳細な説明】
【０００１】
【発明の属する技術分野】
環状吸盤に水溜め部を設けた部分洗浄補助具。
【０００２】
【従来の技術】
車、航空機、船舶などで鳥の糞や木から落ちた果実や飛び跳ねた泥など乾くとこびりついて取れにくくなることがよくあったが、水を垂れ流しして、根気よくよごれを拭き取っていた。
又濡れ雑巾によって汚れを覆っていても雑巾だけ乾き、汚れを落とすのに一苦労も二苦労も必要であった。
【０００３】
【特許文献】
Ａ４６Ｂ
【発明が解決しようとする課題】
解決しようとする問題点は、車などで一旦こびりついた汚れは、濡れ雑巾などを使ったり、水を掛けながら擦ったり傷が残りやすかったりした。
【０００４】
【課題を解決するための手段】
本発明は、汚れを中央にとるように、環状吸盤を押し付け吸着し環状吸盤の中心の空いた空間に洗剤や水を溜め、こびりついた汚れを浮かせてから取ることによって上記課題を解決する部分洗浄補助具である。
【０００５】
【発明の実施の形態】
部分洗浄補助具の環状吸盤１を平らな面に引っ付け注入口３より水溜め用部２へ洗剤あるいは水やお湯などをいれ汚れが浮いてくるのを待つ、そして汚れが浮いてきたら部分洗浄補助具をはがし汚れを水などで洗い流す。
【０００６】
【発明の効果】
汚れた部分を長時間、環状吸盤の内側に溜めた水や洗剤にさらすことにより容易に浮いた汚れを落とす事が可能となった。又、台所用品としても使用できる。
【図面の簡単な説明】
【図１】環状吸盤１に水溜部分２を垂直に設けた部分洗浄補助具の断面図。
【図２】環状吸盤１に、縦様に水溜め部分２を曲げた部分洗浄補助具の断面図。
【図３】環状吸盤１を長円形にし、縦様に水溜め部分２を曲げした部分洗浄補助具の斜視図。
【図４】環状吸盤の斜視図
【符号の説明】
１  環状吸盤部
２  水溜め用部
３  注入口
【図１】
2004174293.tif 000003
【図２】
2004174293.tif 000004
【図３】
2004174293.tif 000005
【図４】
2004174293.tif 000006
(57)【要約】【課題】冷えた靴を温める。【解決手段】図１の靴温め自動温度調節電熱器を、冷えた靴の中に挿入して、所望の温度を設定し電気のスイッチを入れる。靴が温まったらスイッチを切り取り出す。此により外出するときに温かい靴が履ける。よって課題は解決される。【選択図】  図３
2004174283.tif 000002
【特許請求の範囲】
【請求項１】
冷えた靴を温める手段であるところの靴に挿入する、足型の自動温度調節電熱器。
【発明の詳細な説明】
【技術分野】
【０００１】本発明は、冷えた靴を温めるために靴の中に挿入する、合成樹脂の容器に入った自動温度調節電熱器である。
【背景技術】
【０００２】現在までに存在しない、靴温め自動温度調節電熱器である。
【発明の開示】
【発明が解決しようとする課題】
【０００３】冷えた靴の中に、靴温め自動温度調節電熱器を挿入して、短時間で冷えた靴を温めるように構成したところに、課題の解決がある。
【課題が解決するための手段】
【０００４】図１の靴温め自動温度調節電熱器を、冷えた靴の中に挿入して、プラグとスイッチを入れて所望の温度を設定する。靴が温まったらスイッチを切り取り出す。此により外出するときに温かい靴が履ける。よって課題は解決される。
【発明の効果】
【０００５】誰でも寒冷時に冷たい靴を履き外出すると、足は靴を履く前の体温以下に冷え、長時間、心身に悪影響を及ぼす。此等を解決するために靴温め自動温度調節電熱器を発明した。
【０００６】此の発明は、制作が容易、材料が安価、サイズは自由に作れて、使用方法が簡単、身体に優しく又心身を快適にする利点と効果がある。
【発明を実施するための最良の形態】
【０００７】靴温め自動温度調節電熱器の外側及び芯の合成樹脂は潰れない堅さで外側表面はなめらかにしてサイズと足型はなるべく靴の内部に密着するように制作することとし、熱伝導をよくする。
【実施例】
【０００８】図３のとおりである。
【図面の簡単な説明】
【図１】本発明の側面断面図。
【図２】本発明の上から見た平面図。
【図３】本発明を靴に挿入した状態の、側面断面図。
【符号の説明】
１  プラグ
２  スイッチ
３  コード
４  対の発明本体につながるコード
５  自動温度調節器
６  可撓性ヒーター
７  合成樹脂性の中空の芯
８  本発明の外側合成樹脂
９  本発明の本体
Ａ  靴
【図１】
2004174283.tif 000003
【図２】
2004174283.tif 000004
【図３】
2004174283.tif 000005
(57)【要約】【課題】生ゴミ処理機では、単に生ゴミがバイオ（菌）によって分解するだけであるので、分解処理に非常に時間がかかるという問題があった。【解決手段】処理タンク１は上部にふた２が開閉できるように構成され、又、処理タンク１の側壁１ａに回転アーム３が装着され、さらに、回転アーム３は処理タンク１の側壁１ａに装着したモータ４によってゆっくり回転され、さらに、処理タンク１の底部に超音波振動子５が装着され、この超音波振動子５に発振器６から発振出力が印加されている。【選択図】        図１
2004174404.tif 000002
【特許請求の範囲】
【請求項１】
バイオチップの入った生ゴミをいれた処理タンクと、該処理タンクの内部に装着した回転アームと、該回転アームをゆっり回転するモータとからなる生ゴミ処理機において、前記処理タンクの底部に超音波振動子を装着し、該超音波振動子に発振器から発振出力を印加して、前記超音波振動子から前記処理タンク内のバイオチップに超音波を照射活性化するとともに、前記モータによって回転アームをゆっくり回転するように構成したことを特徴とする超音波生ゴミ処理機。
【請求項２】
前記発振器から前記超音波振動子に印加する出力は周波数が１ＭＨｚ以下で、２Ｗ／ｃｍ２であることを特徴とする請求項１記載の超音波生ゴミ処理機。
【発明の詳細な説明】
【０００１】
【発明が属する技術分野】
本発明は、家庭流用から工業用の生ゴミを処理することができる超音波生ゴミ処理機に関するものである。
【０００２】
【従来の技術】
従来は、バイオチップの入った処理タンク内に生ゴミを入れ、バイオチップを回転アームでゆっくりかき回すと、バイオ（菌）が生ゴミを分解することにより、分解された生ゴミは肥料等に使用することができる。
【０００３】
【発明が解決しようとする課題】
しかしながら、このような構成された生ゴミ処理機では、単に生ゴミがバイオ（菌）によって分解するだけであるので、分解処理に非常に時間がかかるという問題があった。
【０００４】
【課題を解決しようとする手段】
本発明は、バイオチップの入った生ゴミをいれた処理タンクと、該処理タンクの内部に装着した回転アームと、該回転アームをゆっり回転するモータとからなる生ゴミ処理機において、前記処理タンクの底部に超音波振動子を装着し、該超音波振動子に発振器から発振出力を印加して、前記超音波振動子から前記処理タンク内の生ゴミに超音波を照射活性化するとともに、前記モータによって回転アームをゆっくり回転するように構成したものであり、又、前記発振器から前記超音波振動子に印加する出力は周波数が１ＭＨｚ以下で、２Ｗ／ｃｍ２である。
【０００５】
【発明の実施の形態】
本発明では、処理タンクの底部又は側壁あるいは内部に超音波振動子を装着し、バイオ（菌）に超音波を照射すると、バイオ（菌）が活性化して、処理が早く行われる。
【０００６】
【実施例】
図１は本発明の実施例の超音波生ゴミ処理機の正面断面図、図２は図１の超音波生ゴミ処理機の側面断面図で、処理タンク１は上部にふた２が開閉できるように構成され、又、処理タンク１の側壁１ａに回転アーム３が装着され、さらに、回転アーム３は処理タンク１の側壁１ａに装着したモータ４によってゆっくり回転され、さらに、処理タンク１の底部に超音波振動子５が装着され、この超音波振動子５に発振器６から発振出力が印加されている。
【０００７】
このように構成した本実施例の超音波生ゴミ処理機では、ふた２を開いて生ゴミ７を処理タンク１内に入れ、回転アーム３をモータ４でゆっくり回転し、さらに、発振器６を駆動して底部に装着した超音波振動子５から生ゴミ７に超音波を照射すると、処理タンク１内に入っているバイオ（菌）が超音波振動によって活性化されるため、生ゴミの分解が早くなるという利点がある。
【０００８】
なお、バイオ（菌）に強い超音波を照射すると、バイオ（菌）が活性化せずに死滅してしまうおそれがある場合には、発振器６から超音波振動子５に印加する出力は１Ｗ／ｃｍで、周波数が１ＭＨｚ以下であれば、バイオ（菌）は死滅することなく、より活性化される。
【０００９】
図３は本発明の他の実施例の超音波生ゴミ処理機の正面断面図で、１は処理タンク、２はふた、３は回転アーム、７は生ゴミであり、これらの構成は上記実施例と同じであるので、説明は省略するが、本実施例では、超音波振動子５を直接生ゴミ７の中に入れるようにする。
【００１０】
このように構成した本実施例の超音波生ゴミ処理機においても、上記実施例と同様の効果を得ることができる。
【００１１】
【発明の効果】
以上説明したように、本発明の超音波生ゴミ処理機は、回転アームで生ゴミをゆっくりかき回すとともに、処理タンクの底部又は側壁あるいは内部に超音波振動子を装着して、バイオ（菌）に超音波を照射すると、バイオ（菌）が活性化して、処理が早く行われるという利点があり、さらに、超音波振動が強すぎる場合は、超音波振動子に印加する出力を１Ｗ／ｃｍで、周波数が１ＭＨｚ以下とすることにより、バイオ（菌）をより活性化することができるという利点がある。
【図面の簡単な説明】
【図１】本発明の実施例の超音波生ゴミ処理機の正面断面図である。
【図２】図１の超音波生ゴミ処理機の側面断面図である。
【図３】本発明の他の実施例の超音波生ゴミ処理機の正面側面図である。
【符号の説明】
１            処理タンク
２            ふた
３            回転アーム
４            モータ
５            超音波振動子
６            発振器
７            生ゴミ
【図１】
2004174404.tif 000003
【図２】
2004174404.tif 000004
【図３】
2004174404.tif 000005
(57)【要約】      （修正有）【課題】原水内のイオン結合無機化合物類を原水組成と同じに保ったまま原水中の細菌微生物群殺菌と汚染物質類除去を行い、除去に用いられる活性炭内の細菌微生物群の殺菌も行える浄水装置を提供する。【解決手段】活性炭水路の両端に装着された電極８に４．５Ａ以上の直流電流、活性炭水路流入口１に装着された電極２に３．５Ａ以上の直流電流を通電する制御回路を設けて簡単な操作で活性炭内と原水内の細菌微生物群の殺菌と原水内汚染物質除去が原水内イオン結合無機化合物組成を損なうことなく行えるようにした。また、浄化ミネラル水が用途別に適切な水質が得られ、かつ装置もユーザー側の使用目的に合ったものが選べるように、オゾン混和殺菌機能、紫外線照射殺菌機能を付加した。【選択図】図１
2004174474.tif 000002
【特許請求の範囲】
【請求項１】
海水及びイオン結合無機化合物類を含有する水（以下“原水”と呼ぶ）内の汚染物質を除去し、イオン結合無機化合物類を原水と同じ組成で残留させるために、塩ビパイプに活性炭を充填したもの（以下“活性炭水路”と呼ぶ）を原水浄化水路とし、この両端にチタン製白金メッキの電極（以下“ＡＣ殺菌電極”と呼ぶ）を装着し、直流電流４．５〜５．５Ａを通電することで活性炭内に生息する細菌微生物群を殺菌する機能を有し、かつ流入側に一対のチタン製白金メッキのパイプ電極を装着し、直流電流３．５〜５．５Ａを通電した後に活性炭水路に流入させることで原水内細菌微生物群殺菌と原水内汚染物質の活性炭界面吸着除去を行うことを特長とする浄化方法及び装置。
【請求項２】
原水にオゾンを混和し原水内細菌微生物群を殺菌した後に請求項１に流入させるか、もしくは請求項１によって作られた水（以下“浄化ミネラル水”と呼ぶ）にオゾンを混和させ浄化ミネラル水内に残存する細菌微生物群を殺菌する機能を請求項１に付加したことを特長とする浄化方法及び装置。
【請求項３】
請求項１によって作られた浄化ミネラル水に紫外線を照射し浄化ミネラル水内に残存する細菌微生物群を殺菌する機能を請求項１に付加したことを特長とする浄化方法及び装置。
【発明の詳細な説明】
【０００１】
【発明の属する技術分野】
原水内イオン結合無機化合物類の組成を損なうことなく原水内細菌微生物群殺菌と原水内汚染物質除去及び活性炭水路内細菌微生物群の殺菌に関する。
【０００２】
【従来の技術】
従来、原水内の細菌微生物群殺菌にはオゾン混和や紫外線照射が用いられ、原水内汚染物質除去には膜濾過などが、また活性炭内細菌微生物群殺菌には加熱、マイクロ波照射などが用いられてきた。
【０００３】
【発明が解決しようとする課題】
しかしながら、原水が含有するイオン結合無機化合物類を全て同組成で残留させながらの殺菌や汚染物質除去は不可能であったし、活性炭水路内に充填したままで活性炭内細菌微生物群を殺菌することも不可能であった。
【０００４】
【課題を解決するための手段】
請求項１のＡＣ殺菌電極に４．５Ａ以上の直流電流を通電させることで活性炭内細菌微生物群それぞれの細胞膜を破壊させ殺菌し、請求項１のパイプ電極に３．５Ａ以上の直流電流を通電させることで原水内全分子の電荷ポテンシャルを上げたまま活性炭水路に流入させ汚染物質類を活性炭界面に吸着させる。また請求項１のパイプ電極に４．５Ａ以上の直流電流を通電させることで原水内細菌微生物群の殺菌を行う。
【０００５】
【発明の作用】
ＡＣ電極及びパイプ電極に通電することで活性炭内及び原水内の細菌微生物群を殺菌するが、原水内イオン結合無機化合物類は、それぞれの化学結合を切断し得る電気エネルギー以下にパイプ電極の荷電は制御されているために原水イオン結合無機化合物類の組成が損なわれることなくかつ活性炭界面が持つ有機化合物は吸着すれどイオン結合無機化合物類は吸着せず、という物性によってそのまま残存し浄化ミネラル水に原水と同じ組成で含有する。
【０００６】
請求項２において、請求項１の前処理としてのオゾン混和を行うか、あるいは請求項１の後処理としてのオゾン混和を行うことで、浄化ミネラル水の用途を選択する。即ち、前処理としてのオゾン混和の場合はオゾン残留が無い浄化ミネラル水が得られ、後処理としてのオゾン混和の場合はオゾンが残留している浄化ミネラル水が得られる。オゾン残留が無い浄化ミネラル水は主に飲用に、オゾンが残留している浄化ミネラル水は野菜、魚介類の洗浄、肉類の冷凍・解凍に使用される。
【０００７】
請求項３において、請求項１の後処理として紫外線照射を行うことで浄化ミネラル水内の残存細菌微生物群の殺菌が成されることになり、主に飲用、医薬品用となる。
【０００８】
【発明の実施例】
図１が、本発明の基本概念である。
【０００９】
【発明の効果】
浄水装置に使われている活性炭に生息する細菌微生物群の殺菌が、活性炭水路から活性炭を取り出したり浄水装置を解体しなくても行えるようにしたのが本発明である。
活性炭の広い表面積、低い熱伝導率、複雑な内部構造は、大気中の細菌微生物群が活性炭内部に入り込みやすく、一旦侵入した細菌微生物群が増殖進化しやすくなっている。このため浄水装置に活性炭を用いた場合、こうした細菌微生物群の殺菌が困難であったが本発明によって活性炭の能力を十分に生かした浄水装置が製作できるようになり、かつ浄水装置内の活性炭に生息する細菌微生物群の殺菌が簡単な操作で行えるようになった。
また印加電流制御によって、イオン結合無機化合物類の組成を一切損なうことなく汚染物質除去を可能にしたため、自然水内のイオン結合無機化合物類を原水のまま含有した無菌・浄化ミネラル水を簡単に得られるようになった。
【図面の簡単な説明】
【図１】本発明の基本概念を示す。
１：原水流入口
２：パイプ電極
３：活性炭
４：浄化ミネラル水取り出し口
５：電圧変換回路
６：直流定電流電源
７：ＡＣへ
８：ＡＣ殺菌電極
９：塩ビパイプ
１０：オゾン混和殺菌装置
１１：紫外線照射殺菌装置
１２：原水流入
１３：４へ
１４：１へ
１５：オゾン残留・浄化ミネラル水取り出し口
１６：４へ
１７：無菌・浄化ミネラル水取り出し口
【図１】
2004174474.tif 000003
(57)【要約】【課題】水に持続的に強還元特性を付与するのに使用する磁性セラミックボールであって、強還元特性と磁力によって水の分子に電子を与えることで水の構造を変える。【解決手段】本発明のセラミックボールはゼオライト４８％、陶磁器用粘土３３％、サンゴカルシウム３％、Ｆｅ２Ｏ３１６％を基本配合とし、これをボール状に成形して乾燥させ、これを大気中で酸化焼成し、しかる後Ｎ２ガスとＨ２ガスの還元雰囲気中で還元焼成して後２Ｔガウスの磁気を照射して得る。【特許請求の範囲】
【請求項１】
素材配合に基づいた配合に水を加えて粘土ボールを成形し、該粘土ボールを２〜３日自然乾燥後、酸化焼成し、次に還元焼成したセラミックボールを２Ｔ（２０，０００）ガウスの磁力を当てて磁気を付与させることを特徴とした強還元特性を有する磁性セラミックボールの製造方法。
【発明の詳細な説明】
【０００１】
【発明の属する技術分野】
本発明は水に持続的に強還元特性を付与するのに使用する磁性セラミックボールの製造方法に関する。
【０００２】
【従来の技術】
従来水の浄化活性化については、活性炭、薬剤、磁力等を使用して家庭の水道水の浄化活性化を行っていた。
また、特開２０００−２８８５５８号に示されているように、水の活性浄化装置として、セラミックボールを使用することが公知である。
【０００３】
【発明が解決しようとする課題】
しかし、このような従来の水道水の浄化活性化には、水道の蛇口に活性炭等のフィルターを使用した浄水器を取り付ける従来の浄水器は、価格が高価になるばかりか、フィルターの交換頻度が多く割高になるという欠点があった。
【０００４】
また先願の前記特開２０００−２８８５５８号に記載されているセラミックボールは、ストロンチューム及びラタノイドを焼結したセラミックボールであって、金属製の容器に入れることによって金属イオンとの反応により水の浄化を図るものであって、金属容器が必要である。
【０００５】
【課題を解決するための手段】
発明者はこのような上記点に鑑み鋭意研究を続けた結果本発明に到達したものである。本発明の磁性セラミックボールの要旨は、ゼオライト・陶磁器用粘土・サンゴカルシウム・酸化鉄（Ｆｅ２Ｏ３）より組成された粘土状物質を粒状又は球状に成形し、これを酸化焼成、および還元焼成を行い、磁力を付与させるもので、強還元特性と磁力によって水分子に電子を与えることで水の構造を変えることができ化学反応が行われる。
そして、この強還元特性を有する磁性セラミックボールはこれによって活性水素を発生させるものである。
【０００６】
地球上の酸化と還元は全て酸素原子によって行われており、水の構造も活性水素と発生する還元物によって変えることができる。また、水の構造を変えることで水中の酸化物を還元させて水質の活性化と浄化を行うことができる。
【０００７】
【発明の実施の形態】
本発明の実施の形態を説明すると、本発明の磁性セラミックボールの基本的な素材配合はゼオライト４８％、陶磁器用粘土３３％、サンゴカルシウム３％、Ｆｅ２Ｏ３（酸化鉄）１６％である。
【０００８】
そしてこの磁性セラミックボールの製造工程を具体的に説明すると、
第１工程    前記組成物に水を加えて混練し、粒径１０〜１５ｍｍの球状に成形して２〜３日自然乾燥する。この自然乾燥した粘土ボールは煉瓦色を呈している。
第２工程    この自然乾燥した粘土ボールを大気中で９５０℃の条件で８時間焼成する。この焼成したボールは赤褐色に変色している。
第３工程    酸化焼成したセラミックボールをＮ２（窒素ガス）とＨ２（水素ガス）を９０％：１０％の比率で混合した気体中で９５０℃、１２時間の条件で還元焼成する。この焼成したセラミックボールは黒色に変色している。
第４工程    この還元焼成したセラミックボールを２Ｔガウス（２０，０００ガウス）の磁力を５秒間の間隙で、５回照射処理して磁力を付勢する。
【０００９】
このように得られた本発明の磁性セラミックボールは、持続的低酸化還元電位（ＯＲＰ）誘導セラミックボールとなり、例えば活性炭素などを含む炉剤で処理された、ＯＲＰが２３０ｍＶ前後の水道水（または天然水）の浄化活性用として使用する場合には、約５００ｍｌぐらいのサーバーの中に本発明の磁性セラミックボールを１粒ないし３粒投入し、２〜３時間放置すればサーバー内の水道水（または天然水）は、自然水に近い味覚の常温でマイナスレベルの低ＯＲＰの活性水素を含む還元水となる。
【００１０】
強還元特性を有する磁性セラミックボール作製のための基本的な素材組成表を示す
2004174480.tif 000002
【００１１】
【発明の効果】
上述のように本発明は、粘土質物にサンゴカルシウムと酸化鉄を加えて酸化焼成と還元焼成を行い、磁力を付与することによって活性水素を発生させ、水の構造を変えることによって、水質の活性化と浄化を行うもので、５００ｍｌの水道水に本発明のセラミックボールを１〜３粒投入することによって短時間で低いＯＲＰの還元水に変えることができる。
【００１２】
従って、カルキ臭の強い水道水や飲料用水として適していない汚染水であっても、本発明のセラミックボールを使用することによって瞬時に還元水となって飲料用水として供給されるため一般家庭において、又は非常時の飲料用水として、特に別の器機を使用することなく利用できるという従来の浄水器には見られない卓越した作用効果を奏する。
(57)【要約】【課題】フッ素排水等を高度処理する場合、排水のアパタイト処理はフッ素等の除去率は高いが、それのみでは上水並には浄化できず、また逆浸透膜処理は、非常に高純度の処理が可能だが、閉塞を起こしやすく、とくにフッ素排水等はそれが顕著である。【解決手段】上記の問題は、排水にアパタイト処理と逆浸透膜処理を併用することで、従来逆浸透膜処理では困難といわれていた、フッ素排水等も処理可能になってくる。【選択図】  図１
2004174479.tif 000002
【特許請求の範囲】
【請求項１】
排水のアパタイト処理と逆浸透膜処理を併用することによる水の
高度浄化システム。
【発明の詳細な説明】
【０００１】
【発明の属する技術分野】
この発明は排水中の不純物をアパタイト化することによって高効率に除去し、後に逆浸透膜により、更に浄化するシステムである。
【０００２】
【従来の技術】
アパタイト処理とは排水中のフッ素またはリン酸を、難溶性のアパタイトにして除去する方法であり、逆浸透膜処理とは、水を逆浸透膜を通過させることにより、浄化する方法である。逆浸透膜は、水中のほとんどの不純物除去に有効であるが、閉塞しやすいという問題点がある。とくにフッ素は閉塞を起こしやすい物質の一つである。
従来の排水中のフッソ素除去法は、排水中のフッ素を消石灰や塩化カルシウムを使用し、フッ化カルシウムにして沈殿物にし、除去し、更に高度な除去を必要とする場合は、その後にキレート樹脂を通す等の方法により、除去してきた。
そして、逆浸透膜によるフッ素排水の処理は、従来のフッ素処理法では、フッ素濃度をあまり低減できないか、またキレート樹脂を使用した場合フッ素濃度は下げられてもコストが非常にかかってしまうため、採算性が良いとはいえなかった。また、カルシウムを大量に投入しフッ素濃度を下げようとした場合は、フッ素と未反応のカルシウム等の塩類が、大量に水中に残留し、塩類濃度を上げるため、逆浸透膜の負荷を大きくしてしまうという問題があった。
そもそも、フッ素は逆浸透膜を閉塞させやすい物質であり、従来のフッ素除去技術では、フッ素排水を逆浸透膜に、供することは非常に困難であった。
【０００３】
【発明が解決使用とする課題】
本発明は、フッ酸素排水をフッ素による閉塞をすることなく逆浸透膜にて高度処理することを、目的とする。
【０００４】
【課題を解決するための手段】
本発明は、フッ酸素排水を高度処理し、処理と逆浸透膜処理を併用することにより、従来困難とされていたフッ素排水の逆浸透膜処理を可能にするものである。従来あるフッ素排水のアパタイト処理は、フッ素処理のみを目的としてきた。しかし、それに逆浸透膜処理を加えることにより、処理精度は飛躍的に上昇するものである。
【０００５】
【発明の実施の形態】
フッ素排水を、アパタイト処理により、フッ素濃度を低減した後に逆浸透膜を通し処理するのだが、排水中に、アパタイト処理では除去できなかった逆浸
透膜疎外物質が残留している場合は、逆浸透膜処理前に、その排水によって多
少の処理が必要になってくる。その処理の代表的なパターンは、実施例記述す
る。
【０００６】
【実施例】
本発明を実施するためには、フッ素排水を従来通りのカルシウム処理後の水をアパタイト処理することも、いきなりアパタイト処理することも可能である。いずれにせよアパタイト処理によって、低濃度化されたフッ素排水を逆浸透膜処理を行うわけであるが、先にも述べたが、アパタイト処理、もしくは、従来のカルシウムによる処理にても除去できなかった逆浸透膜疎外物質が、許容量以上に存在している場合、逆浸透膜を通す前に、▲１▼活性炭を通過させる、▲２▼オゾンにて処理する、▲３▼オゾン処理後活性炭濾過する、▲４▼凝集剤を投入し、沈澱または加圧浮上処理または砂濾過、▲５▼フィルター濾過処理等を行う必要がある。以上の方法にて逆浸透膜処理することによって、非常に純度の高い処理が可能になる。
【０００７】
【発明の効果】
本発明は、従来処理困難であった、フッ素排水の逆浸透膜処理することによって、それまでは、ほとんど再利用されることなく廃棄されていた水を、高度浄化することによって、原水の水質にもよるが、総体では上水以上の純度にて回収することも可能になる。
また、アパタイト処理はフッ素のみでなく、リン酸も除去するため、リン酸排水も同じ処理方法にて、高度処理が可能であるといえる。
【図面の簡単な説明】
【図１】本発明のフロー図
【図１】
2004174479.tif 000003
(57)【要約】【課題】廃棄物処理装置に関する。【解決手段】気体吸収材１１を設けた廃棄物貯蔵庫９の内部の底面に、多数のガス排出穴群１Ａを設けた任意数の配管群１を設け、この多数のガス排出穴群１Ａから電気溶融炉８からの窒素、炭酸ガス等を廃棄物貯蔵庫９の内部に貯蔵している生ごみ９Ａの内部各所に散布するために、電気溶融炉８に気体冷却装置６、排気用フアン４、電磁弁３、配管２、５、７等を接続し、排気物貯蔵庫９の内部の有害、臭気等の気体を電気溶融炉８に投入するために、気体吸入管１１、気体吸入用フアン１２、電磁自弁１４、配管１３、１５等を電気溶融炉８に接続したことである。【選択図】  図３
2004174476.tif 000002
【特許請求の範囲】
【請求項１】
気体吸収材（１０）を設けた廃棄物貯蔵庫（９）の内面の底面に多数のガス排出用穴群（１Ａ）を設けた任意数の配管群（１）を設け、この配管群（１）に設けた多数のガス排出穴群（１Ａ）から電気溶融炉（８）からの窒素及び炭酸ガスを気体冷却装置（６）を経て廃棄物貯蔵庫（９）に内部に貯蔵してある生ごみ類（９Ａ）の内部各所に散布して成る廃棄物処理装置。
【請求項２】
廃棄物貯蔵庫（９）の内部の気体を廃棄物貯蔵庫（９）の内部に接続してある気体吸入管（１１）と気体吸入管（１１）に接続してある気体吸入用フアン（１２）、配管（１３）、電磁弁（１４）、配管（１５）等を通して電気溶融炉（８）の内部に挿入して成る廃棄物処理装置。
【発明の詳細な説明】
【０００１】
【発明の属する技術分野】
この発明は、廃棄物貯蔵庫の廃棄物にガス処理を施す装置に関する、
【０００２】
【従来の技術】
従来、廃棄物を投入した廃棄物貯蔵庫の内、特に、生ごみの貯蔵には、臭気、腐敗が多く、消石灰や化学剤を生ごみに投入しているが、この投入物の経費は、高く、年間には莫大な処理費用になる欠点がある。
また、投入する材料によつては、焼却炉内部の温度で、ダイオキシンなどの有害ガスが発生する欠点もあり、大型の廃棄物貯蔵庫内部の温度を常時１０℃以下に保持する経費も高く、生ごみの処理には向かない。
【０００３】
【発明が解決しようとする課題】
廃棄物貯蔵庫の発生する臭気、腐敗を出来るだけ押えることである。
【０００４】
【課題を解決するための手段】
廃棄物貯蔵庫の内部の底面に多数のガス排出用穴を設けた任意数の配管郡を設け、この配管群のガス排出穴から電気溶融炉からの窒素及び単産ガスを気体冷却装置を経て廃棄物庫の内部に貯蔵してある生ごみの内部各所に散布させる装置と廃棄物貯蔵庫の内部の気体を廃棄物貯蔵庫に内部に接続してある気体吸入管で電気溶融炉の内部に挿入したことである。
【０００５】
【発明の実施の形態】
発明の実施の形態について図面を参照して説明する。
図１は、廃棄物貯蔵処理装置に関する多数のガス排出穴群１Ａを設けた任意数の配管群１に配管２、電磁弁３、ガス排出フアン４、配管５、気体冷却装置６、配管７及び電気溶融炉８等が接続している概略図を示す。
図２は、上記の説明以外に、廃棄物貯蔵庫９の内部に設けた気体吸収材１０、廃棄物貯蔵庫９の内部に貯蔵し生ごみ類９Ａ、廃棄物貯蔵庫９に設けた廃棄物投入口９Ｂ、廃棄物貯蔵庫９の内部の気体を吸入する気体吸入管１１、気体吸入用フアン１３、電磁便１４及配管１５等を電気溶融炉８に接続した概略図を示す。
図３は、廃棄物貯蔵処理装置の全体の概略ブロツク・ダイヤグラムを示す。
【０００６】
廃棄物貯蔵庫９の内部に、廃棄物投入口９Ｂから生込み類９Ａを投入、焼却、溶融する間、貯蔵庫９の内部に貯蔵された生ごみ類９Ａから悪臭又は、腐敗が進む場合いの処置として、先に、電気溶融炉８の内部で完全に焼却、溶融された廃棄物、カーボン粒子材からの炭酸ガスと炉内に空気投入フアン８Ａで投入された空気中の窒素とが配管７より気体冷却装置６に投入されて電気溶融炉８から排出した時の高温から任意の低温に冷却される。
冷却された窒素、炭酸ガス類を配管５を経て、ガス排出フアン４から同じく配管５に接続してある電磁便４を経て配管２に接続してある配管群１に設けてある多数のガス排出穴群１Ａから貯蔵されている生ごみ類９Ａの内部に散布される。
冷却された窒素、炭酸ガス等が生ごみ類９Ａに吸収又は、付着して、生ごみ類の酸化による腐敗臭を低減することに成る。
この様な処理により、廃棄物貯蔵庫９の外部に悪臭を出来るだけ排出しないようにする。
【０００７】
廃棄物貯蔵庫９の内部に設けてある気体吸収材１０は、廃棄物貯蔵こ９内部にある各種の気体を吸収することで、有害ガス、臭気の低減に寄与する様にしたことである。
また、廃棄物貯蔵こ９の内部に設けた気体吸入管１１は、廃棄物貯蔵庫９の内部の有害、悪臭気体を電気溶融炉８の名部の高温（１５００℃以上）で無害化すするために設けてあり、気体吸入フアン１２、配管１３、電磁弁１４、配管１５及び電気溶融炉８に接続してある。
電磁弁１４は、廃棄物貯蔵庫９の内部の気体を電気溶融炉８で処理しない時は、閉鎖しておく。
【０００８】
【発明の効果】
廃棄物貯蔵庫内部に発生する悪臭、有害ガスを自己の発生する炭酸ガス、窒素で低減させる利点がある。
【図面の簡単な説明】
【図１】本発明の概略図である。
【図２】本発明の概略図である。
【図３】本発明の概略ブロツク・ダイヤグラム図である。
【符号の説明】
１          配管群
１Ａ        ガス排出穴群
２          配管
３          電磁弁
４          ガス排出フアン
５          配管
６          気体冷却装置
７          配管
８          電気溶融炉
８Ａ        空気投入用フアン
９          廃棄物貯蔵庫
９Ａ        生ごみ類
９Ｂ        廃棄物投入口
１０          気体吸収材
１１          気体吸入管
１２          気体吸入用フアン
１３          配管
１４          電磁弁
１５          配管
【図１】
2004174476.tif 000003
【図２】
2004174476.tif 000004
【図３】
2004174476.tif 000005
(57)【要約】【課題】加工切削等に関わる切削屑等吸引は、周囲に拡散し完全に吸引することが出来なかった。【解決手段】円錐形の筒本体３の上部に穴６を開け、本体３の下部には、外気を遮断するゴム状７の当たり面がある。また本体３の側面には、吸引口４と外気取り入れ口５がそれぞれ角度を設けて取り付けてあり１０の部分で吸引口４が集合し、８の部分でノズル方向を自在に変え９の部分であらゆる吸引機に取り付け可能な加工をしてあるので切削等による屑等を散らすことなく、上面、側面、下面あらゆる方向で容易に吸引する事が出来る。【選択図】図１
2004174636.tif 000002
【特許請求の範囲】
【請求項１】
切削による屑等を散らすことなく、上面、側面、下面あらゆる方向で容易に吸引することが出来ることを特徴とする流気体式吸引ノズル。
【請求項２】
円錐形の筒（上部に切削刃等を挿入する穴が開いた蓋がある、下部には、外気を遮断する為のゴム状の当たり面がある）に吸引口、外気取り入れ口をそれぞれ角度をつけてそれぞれ設け、容器内の気体が回転しながら切削屑等を吸引する事を特徴とする請求項１記載の流気体式吸引ノズル。
【発明の詳細な説明】
【０００１】
【発明の属する技術分野】
この発明は、切削屑等又は、ゴミ等の吸引に関する。
【０００２】
【従来の技術】
従来の切削屑等の吸引は、図２に示すように、切削刃１に吸引ホース２を直接近づけ吸引していた。
【０００３】
【発明が解決しようとする課題】
しかしながら、以上の従来技術によれば、切削屑等が拡散し完全に吸引する事が出来なかった、そこでこの発明は、周囲を汚さず、なお短時間で吸引する事が出来る流気体式吸引ノズルを提供することを課題とする。
【０００４】
【課題を解決するための手段】
以上の課題を解決するために、請求項１の発明は、切削等による屑等を散らすことなく、上面、側面、下面あらゆる方向で容易に吸引する事が出来る事を特徴とする流気体式吸引ノズルである。
また、請求項２の発明は、円錐形の筒（上部に切削刃等を挿入する穴が開いた蓋がある、下部には、外気を遮断する為のゴム状の当たり面がある）に吸引口、外気取り入れ口をそれぞれ角度をつけて設け、容器内の気体が回転しながら切削屑等を吸引することを特徴とする請求項１記載の流気体式吸引ノズルであることを特徴とする流気体式吸引ノズルである。
【０００５】
【発明の実施の形態】
この発明の一実施形態を、図１に示す。円錐形の筒本体３は、透過性であり、この本体３の上部には切削刃等挿入口、外気取り入れ口でもある穴６が開いており、本体３の下部には、外気を遮断するゴム状７の当たり面がある。又本体３の側面には、吸引口４と外気取り入れ口５がそれぞれ角度を設けて取り付けてあり１０の部分で吸引口４が集合し、８の部分でノズル方向を自在に変え９の部分であらゆる吸引機に取り付け可能な加工をしてある。
【０００６】
「実施形態の効果」
この実施形態によれば、本体３の円錐状の働きで本体３内の切削屑等を拡散することを防ぐ。また、吸引口４、外気取り入れ口５、の働きにより本体３内の気体を回転させ切削屑等の吸引残りを防ぎ、切削刃等挿入口でもある外気取り入れ口６、により上面、側面、下面での切削屑等漏れを防ぐ、したがって切削屑等を容易に尚且つ短時間で綺麗に回収出来る。
【０００７】
「他の実施形態」
図１の実施形態では、吸引口１０の部分で集合しているが個々別々に設けてもよい、又本体３の外部に吸入、外気取り入れ口を設けてあるが、本体３の内部に設けて簡素化してもよい。そして本体３を直接切削工具に取り付けできるようにすることも出来る。
【０００８】
【発明の効果】
以上説明したように、この発明によれば、切削屑等を拡散せず尚且つ回転しながら吸引する為に切削屑等を容易に尚且つ短時間で綺麗に吸引できる。
【０００９】
また、切削刃等挿入口６からも外気を取り入れる為にあらゆる角度での作業が出来る。
【図面の簡単な説明】
【図１】この発明の一実施形態を示す斜視図である。
【図２】従来技術を示す斜視図である。
【符号の説明】
１  切削刃
２  吸引ノズル
３  本体
４  吸引口
５  外気取り入れ口
６  切削刃等挿入口
７  当たり面
８  可変部分
９  吸引機挿入口
１０  吸引口集合部分
【図１】
2004174636.tif 000003
【図２】
2004174636.tif 000004